(57)【特許請求の範囲】
【請求項１】
装置に対して着脱可能な第１の記録媒体と、装置に内蔵され前記第１の記録媒体よりも大容量の第２の記録媒体とに対し、圧縮符号化処理が施された画像情報の記録再生を可能とする画像記録再生装置において、
前記第２の記録媒体に対して、その空き記録容量の全てを使用するように画像情報に対する圧縮符号化レートを制御して記録することが要求された状態で、前記第２の記録媒体の空き記録容量が、未記録の前記第１の記録媒体の空き記録容量以下であるか否かを判別し、以下である場合、前記第２の記録媒体の空き記録容量の全てを使用するように画像情報に対する圧縮符号化レートを設定し、前記第２の記録媒体の空き記録容量が、未記録の前記第１の記録媒体の空き記録容量を超える場合、前記第２の記録媒体の空き記録容量を、未記録の前記第１の記録媒体の空き記録容量と同じ容量とみなして、前記画像情報に対する圧縮符号化レートを設定することを特徴とする画像記録再生装置。
【請求項２】
前記第２の記録媒体の記録領域は、複数の領域に分割されており、各記録領域毎にそれぞれ空き記録容量の判別が行なわれることを特徴とする請求項１記載の画像記録再生装置。
【請求項３】
装置に対して着脱可能な第１の記録媒体と、装置に内蔵され前記第１の記録媒体よりも大容量の第２の記録媒体とに対し、圧縮符号化処理が施された画像情報の記録再生を可能とする画像記録再生装置において、
前記第２の記録媒体に対して、その空き記録容量の全てを使用するように画像情報に対する圧縮符号化レートを制御して記録することが要求された状態で、前記第２の記録媒体の空き記録容量を、未記録の前記第１の記録媒体の空き記録容量と同じ容量とみなして、前記画像情報に対する圧縮符号化レートを設定することを特徴とする画像記録再生装置。
【請求項４】
装置に対して着脱可能な第１の記録媒体と、装置に内蔵され前記第１の記録媒体よりも大容量の第２の記録媒体とに対し、圧縮符号化処理が施された画像情報の記録再生を可能とする画像記録再生装置において、
前記第２の記録媒体に対して、その空き記録容量の全てを使用するように画像情報に対する圧縮符号化レートを制御して記録することが要求された状態で、前記第２の記録媒体の空き記録容量が、未記録の前記第１の記録媒体の空き記録容量以下であるか否かを判別し、以下である場合、前記第２の記録媒体の空き記録容量の全てを使用するように画像情報に対する圧縮符号化レートを設定し、前記第２の記録媒体の空き記録容量が、未記録の前記第１の記録媒体の空き記録容量を超える場合、エラーメッセージを表示させるようにしたことを特徴とする画像記録再生装置。
【請求項５】
装置に対して着脱可能な第１の記録媒体と、装置に内蔵され前記第１の記録媒体よりも大容量の第２の記録媒体とに対し、圧縮符号化処理が施された画像情報の記録再生を可能とする画像記録再生装置において、
前記第２の記録媒体に対して、その空き記録容量の全てを使用するように画像情報に対する圧縮符号化レートを制御して記録することが要求された状態で、前記第２の記録媒体の空き記録容量が、未記録の前記第１の記録媒体の空き記録容量以下であるか否かを判別し、以下である場合、前記第２の記録媒体の空き記録容量の全てを使用するように画像情報に対する圧縮符号化レートを設定し、前記第２の記録媒体の空き記録容量が、未記録の前記第１の記録媒体の空き記録容量を超える場合、前記画像情報に対する圧縮符号化レートを最大の圧縮符号化レートに設定することを特徴とする画像記録再生装置。
【請求項６】
装置に対して着脱可能な第１の記録媒体と、装置に内蔵され前記第１の記録媒体よりも大容量の第２の記録媒体とに対し、圧縮符号化処理が施された画像情報の記録再生を可能とする画像記録再生方法において、
前記第２の記録媒体に対して、その空き記録容量の全てを使用するように画像情報に対する圧縮符号化レートを制御して記録することが要求された状態で、前記第２の記録媒体の空き記録容量が、未記録の前記第１の記録媒体の空き記録容量以下であるか否かを判別し、以下である場合、前記第２の記録媒体の空き記録容量の全てを使用するように画像情報に対する圧縮符号化レートを設定し、前記第２の記録媒体の空き記録容量が、未記録の前記第１の記録媒体の空き記録容量を超える場合、前記第２の記録媒体の空き記録容量を、未記録の前記第１の記録媒体の空き記録容量と同じ容量とみなして、前記画像情報に対する圧縮符号化レートを設定することを特徴とする画像記録再生方法。
【請求項７】
前記第２の記録媒体の記録領域は、複数の領域に分割されており、各記録領域毎にそれぞれ空き記録容量の判別が行なわれることを特徴とする請求項６記載の画像記録再生方法。
【請求項８】
装置に対して着脱可能な第１の記録媒体と、装置に内蔵され前記第１の記録媒体よりも大容量の第２の記録媒体とに対し、圧縮符号化処理が施された画像情報の記録再生を可能とする画像記録再生方法において、
前記第２の記録媒体に対して、その空き記録容量の全てを使用するように画像情報に対する圧縮符号化レートを制御して記録することが要求された状態で、前記第２の記録媒体の空き記録容量を、未記録の前記第１の記録媒体の空き記録容量と同じ容量とみなして、前記画像情報に対する圧縮符号化レートを設定することを特徴とする画像記録再生方法。
【請求項９】
装置に対して着脱可能な第１の記録媒体と、装置に内蔵され前記第１の記録媒体よりも大容量の第２の記録媒体とに対し、圧縮符号化処理が施された画像情報の記録再生を可能とする画像記録再生方法において、
前記第２の記録媒体に対して、その空き記録容量の全てを使用するように画像情報に対する圧縮符号化レートを制御して記録することが要求された状態で、前記第２の記録媒体の空き記録容量が、未記録の前記第１の記録媒体の空き記録容量以下であるか否かを判別し、以下である場合、前記第２の記録媒体の空き記録容量の全てを使用するように画像情報に対する圧縮符号化レートを設定し、前記第２の記録媒体の空き記録容量が、未記録の前記第１の記録媒体の空き記録容量を超える場合、エラーメッセージを表示させるようにしたことを特徴とする画像記録再生方法。
【請求項１０】
装置に対して着脱可能な第１の記録媒体と、装置に内蔵され前記第１の記録媒体よりも大容量の第２の記録媒体とに対し、圧縮符号化処理が施された画像情報の記録再生を可能とする画像記録再生方法において、
前記第２の記録媒体に対して、その空き記録容量の全てを使用するように画像情報に対する圧縮符号化レートを制御して記録することが要求された状態で、前記第２の記録媒体の空き記録容量が、未記録の前記第１の記録媒体の空き記録容量以下であるか否かを判別し、以下である場合、前記第２の記録媒体の空き記録容量の全てを使用するように画像情報に対する圧縮符号化レートを設定し、前記第２の記録媒体の空き記録容量が、未記録の前記第１の記録媒体の空き記録容量を超える場合、前記画像情報に対する圧縮符号化レートを最大の圧縮符号化レートに設定することを特徴とする画像記録再生方法。
【発明の詳細な説明】
技術分野
この発明は、光ディスクのように装置に対して着脱可能な記録媒体と、ハードディスクのように装置に内蔵された記録媒体とを、同時に取り扱うことが可能な画像記録再生装置及び方法の改良に関する。
背景技術
周知のように、近年においては、例えばＤＶＤ（Ｄｉｇｉｔａｌ  Ｖｅｒｓａｔｉｌｅ  Ｄｉｓｃ）−ＲＡＭ（Ｒａｎｄｏｍ  Ａｃｃｅｓｓ  Ｍｅｍｏｒｙ）やＤＶＤ−ＲＷ（Ｒｅ  Ｗｒｉｔａｂｌｅ）等の光ディスクのように、装置に対して着脱自在な記録媒体と、ハードディスクのように装置に内蔵され、記録再生速度が高速で大容量の記録媒体とを、同時に取り扱うことを可能とした画像記録再生装置が開発されている。
この種の画像記録再生装置は、光ディスクの持つ利点とハードディスクの持つ利点とを有機的に融合させることによって、従来の画像記録再生装置では到底実現することができなかった種々の新しい機能をユーザに提供することができる可能性を内在している。このため、この種の画像記録再生装置に対して、現在では、より一層便利でしかも不都合の生じないように、細部に渡って改良を施すことが強く要求されている。
例えば、記録媒体に画像情報を記録する際の機能として、従来より、ジャスト録画と称される機能がある。このジャスト録画機能は、記録媒体の空き記録容量に対応させて、圧縮符号化技術を用いて記録すべき画像情報の量を制御することにより、記録媒体上に無駄な空き記録容量を残すことなく記録容量を全て使い切るようにしたものである。
しかしながら、上記したような、光ディスクとハードディスクとを同時に取り扱うことを可能とした画像記録再生装置に対して、ジャスト録画機能を採用した場合、光ディスクに対しては特に問題ないが、ハードディスクに対しては、空き記録容量が１００Ｇ（Ｇｉｇａ）バイト以上ある場合もあり、このような膨大な空き記録容量に対応するように画像情報を符号化することは、ストリームのデータサイズを無駄に大きくするだけであって、とても実用に適する処理ではなくなるという不都合が生じる。
そこで、この発明は上記事情を考慮してなされたもので、装置に対して着脱自在な記録媒体と、装置に内蔵された大容量記録媒体とを同時に取り扱うことを可能とする記録再生装置において、ジャスト録画機能が採用された場合の大容量記録媒体に対する不都合を解消し、ユーザにとっての使い勝手をより一層高めるようにした画像記録再生装置及び方法を提供することを目的とする。
発明の開示
この発明に係る画像記録再生装置は、装置に対して着脱可能な第１の記録媒体と、装置に内蔵され第１の記録媒体よりも大容量の第２の記録媒体とに対して、それぞれ、圧縮符号化処理が施された画像情報の記録再生を可能とするものを対象としている。
そして、第２の記録媒体に対して、その空き記録容量の全てを使用するように画像情報に対する圧縮符号化レートを制御して記録することが要求された状態で、第２の記録媒体の空き記録容量が、未記録の第１の記録媒体の空き記録容量以下であるか否かを判別し、以下である場合、第２の記録媒体の空き記録容量の全てを使用するように画像情報に対する圧縮符号化レートを設定し、第２の記録媒体の空き記録容量が、未記録の第１の記録媒体の空き記録容量を超える場合、第２の記録媒体の空き記録容量を、未記録の第１の記録媒体の空き記録容量と同じ容量とみなして、画像情報に対する圧縮符号化レートを設定するようにしている。
また、この発明に係る画像記録再生方法は、装置に対して着脱可能な第１の記録媒体と、装置に内蔵され第１の記録媒体よりも大容量の第２の記録媒体とに対して、それぞれ、圧縮符号化処理が施された画像情報の記録再生を可能とする方法を対象としている。
そして、第２の記録媒体に対して、その空き記録容量の全てを使用するように画像情報に対する圧縮符号化レートを制御して記録することが要求された状態で、第２の記録媒体の空き記録容量が、未記録の第１の記録媒体の空き記録容量以下であるか否かを判別し、以下である場合、第２の記録媒体の空き記録容量の全てを使用するように画像情報に対する圧縮符号化レートを設定し、第２の記録媒体の空き記録容量が、未記録の第１の記録媒体の空き記録容量を超える場合、第２の記録媒体の空き記録容量を、未記録の第１の記録媒体の空き記録容量と同じ容量とみなして、画像情報に対する圧縮符号化レートを設定するようにしている。
上記のような構成及び方法によれば、第２の記録媒体に対して、その空き記録容量の全てを使用するように、画像情報に対する圧縮符号化レートを制御して記録することが要求された状態で、第２の記録媒体の空き記録容量が、未記録の第１の記録媒体の空き記録容量を超える場合、第２の記録媒体の空き記録容量を、未記録の第１の記録媒体の空き記録容量と同じ容量とみなして、画像情報に対する圧縮符号化レートを設定するようにしている。
このため、従来のように、ハードディスクの持つ膨大な空き記録容量に対応するように画像データを符号化するという、ストリームのデータサイズを無駄に大きくするだけの実用に適さない処理を行なわなくて済むようになり、ユーザにとっての使い勝手をより一層高めることができる。また、例えばハードディスクに記録したデータを後で光ディスクに転送するのに都合が良いという利点も生じる。
発明を実施するための最良の形態
以下、この発明の第１の実施例について図面を参照して詳細に説明する。第１図は、この第１の実施例で説明する画像記録再生装置の概略的な構成を示している。
すなわち、この画像記録再生装置は、ＤＶＤ−ＲＡＭやＤＶＤ−ＲＷ等のような光ディスク１１を回転駆動し、この光ディスク１１に対して情報の書き込み及び読み取りを実行することのできるディスクドライブ１２と、ハードディスクを回転駆動し、このハードディスクに対して情報の書き込み及び読み取りを実行することのできるＨＤＤ（Ｈａｒｄ  Ｄｉｓｃ  Ｄｒｉｖｅ）部１３と、記録側を構成するエンコーダ部１４と、再生側を構成するデコーダ部１５と、装置本体の動作を統括的に制御するマイクロコンピュータブロック１６とを、主たる構成要素としている。
そして、エンコーダ部１４は、ＡＤＣ（Ａｎａｌｏｇ  ｔｏ  Ｄｉｇｉｔａｌ  Ｃｏｎｖｅｒｔｅｒ）１４ａと、Ｖ（Ｖｉｄｅｏ）エンコーダ，Ａ（Ａｕｄｉｏ）エンコーダ及びＳＰ（Ｓｕｂ−Ｐｉｃｔｕｒｅ）エンコーダを含むエンコーダ群１４ｂと、このエンコーダ群１４ｂの各エンコーダの出力を所定のフォーマットに変換するフォーマッタ１４ｃと、このフォーマッタ１４ｃの作業用に使用されるバッファメモリ１４ｄとを備えている。
このうち、ＡＤＣ１４ａには、Ａ／Ｖ（Ａｕｄｉｏ／Ｖｉｄｅｏ）入力部１７からの外部アナログ画像信号＋外部アナログ音声信号、あるいは、ＴＶ（Ｔｅｌｅｖｉｓｉｏｎ）チューナ１８からのアナログ画像信号＋アナログ音声信号が入力されている。
ＡＤＣ１４ａは、入力されたアナログ画像信号を、例えばサンプリング周波数１３．５ＭＨｚ、量子化ビット数８ビットでデジタル化する。すなわち、輝度成分Ｙ、色差成分Ｃｒ（またはＹ−Ｒ）及び色差成分Ｃｂ（またはＹ−Ｂ）が、それぞれ８ビットで量子化されることになる。
同様に、ＡＤＣ１４ａは、入力されたアナログ音声信号を、例えばサンプリング周波数４８ｋＨｚ、量子化ビット数１６ビットでデジタル化する。
また、ＡＤＣ１４ａにデジタル画像信号やデジタル音声信号が入力されているときは、ＡＤＣ１４ａは、そのデジタル画像信号やデジタル音声信号をスルーパスさせる。
なお、これらのデジタル画像信号やデジタル音声信号に対して、内容を改変することなく、ジッタ低減処理やサンプリングレートの変更処理等を行なうことは許可されている。
ＡＤＣ１４ａから出力されたデジタル画像信号は、エンコーダ群１４ｂのＶエンコーダを介してフォーマッタ１４ｃに送られる。また、ＡＤＣ１４ｃから出力されたデジタル音声信号は、エンコーダ群１４ｂのＡエンコーダを介してフォーマッタ１４ｃに送られる。
Ｖエンコーダは、入力されたデジタル画像信号を、ＭＰＥＧ（Ｍｏｖｉｎｇ  Ｐｉｃｔｕｒｅ  Ｉｍａｇｅ  Ｃｏｄｉｎｇ  Ｅｘｐｅｒｔｓ  Ｇｒｏｕｐ）２またはＭＰＥＧ１規格に基づいて、可変ビットレートで圧縮されたデジタル画像信号に変換する機能を持っている。
また、Ａエンコーダは、入力されたデジタル音声信号を、ＭＰＥＧまたはＡＣ（Ａｕｄｉｏ  Ｃｏｍｐｒｅｓｓｉｏｎ）−３規格に基づいて、固定ビットレートで圧縮されたデジタル音声信号またはリニアＰＣＭ（Ｐｕｌｓｅ  Ｃｏｄｅ  Ｍｏｄｕｌａｔｉｏｎ）のデジタル音声信号に変換する機能を持っている。
なお、Ａ／Ｖ入力部１７から副映像（ＳＰ）信号が入力された場合（例えば副映像信号の独立出力端子付きＤＶＤビデオプレーヤからの信号）、あるいは、このようなデータ構成のＤＶＤビデオ信号が放送され、それがＴＶチューナ１８で受信された場合には、ＤＶＤビデオ信号中の副映像信号が、エンコーダ群１４ｂのＳＰエンコーダに入力される。このＳＰエンコーダに入力された副映像信号は、所定の信号形態にアレンジされて、フォーマッタ１４ｃに送られる。
フォーマッタ１４ｃは、バッファメモリ１４ｄをワークエリアとして使用しながら、入力されたデジタル画像信号、デジタル音声信号及び副映像信号等に対して、それぞれ、記録に適したフォーマットとなるように所定の信号処理を施し、データプロセッサ１９に出力している。
そして、このようにエンコーダ部１４でエンコードされた情報や、作成された管理情報は、データプロセッサ１９及びディスクドライブ１２を介して、光ディスク１１に記録することができる。
ここで、この画像記録再生装置は、上記のようにしてエンコーダ部１４でエンコードされた情報や、作成された管理情報を、データプロセッサ１９を介してＨＤＤ部１３に供給して、そのハードディスクに記録することもできる。
また、ハードディスクに記録された情報をＨＤＤ部１３で読み出し、データプロセッサ１９及びディスクドライブ１２を介して、光ディスク１１に記録することもできる。
この場合、ハードディスクに記録されている情報のフォーマットが、光ディスク１１のデータフォーマットと同じである場合には、ハードディスクから読み取った情報をそのまま光ディスク１１に記録する。
また、ハードディスクに記録されている情報のフォーマットが、光ディスク１１のデータフォーマットと異なる場合には、ハードディスクから読み取った情報をエンコーダ部１４に供給して、光ディスク１１のデータフォーマットに適応するようにエンコード処理を施してから、光ディスク１１に転送して記録する。
次に、この画像記録再生装置は、上記光ディスク１１に対して、情報の書き込み及び読み取り（記録及び再生）を実行する部分として、光学系や駆動系を有するディスクドライブ１２と、データプロセッサ１９と、一時記憶部２０と、ＳＴＣ（Ｓｙｓｙｅｍ  Ｔｉｍｅ  ＣｏｕｎｔｅｒまたはＳｙｅｔｅｍ  Ｔｉｍｅ  Ｃｌｏｃｋ）２１とを備えている。
このうち、一時記憶部２０は、エンコーダ部１４から出力され、データプロセッサ１９及びディスクドライブ１２を介して光ディスク１１に書き込まれるデータのうちの一定量をバッファリングしたり、ディスクドライブ１２によって光ディスク１１から読み取られ、データプロセッサ１９を介してデコーダ部１５に入力されるデータのうちの一定量をバッファリングするために利用される。
また、データプロセッサ１９は、マイクロコンピュータブロック１６の制御に基づいて、エンコーダ部１４から出力された記録用のデータをディスクドライブ１２に供給したり、ディスクドライブ１２が光ディスク１１から読み取ったデータを取り込んだり、光ディスク１１に記録された管理情報を書き替えたり、光ディスク１１に記録されたデータの削除を行なったりしている。
ここで、マイクロコンピュータブロック１６は、ＭＰＵ（Ｍｉｃｒｏ  Ｐｒｏｃｅｓｓｉｎｇ  Ｕｎｉｔ）［またはＣＰＵ（Ｃｅｎｔｒａｌ  Ｐｒｏｃｅｓｓｉｎｇ  Ｕｎｉｔ）］と、制御プログラムが書き込まれたＲＯＭ（Ｒｅａｄ  Ｏｎｌｙ  Ｍｅｍｏｒｙ）と、プログラム実行に必要なワークエリアを提供するためのＲＡＭとを含んでいる。
そして、マイクロコンピュータブロック１６のＭＰＵは、キー入力部２２からの操作情報を受け、そのＲＯＭに格納された制御プログラムに基づいて、ＲＡＭをワークエリアとして用いることにより、装置全体の動作を統括的に制御している。
なお、このマイクロコンピュータブロック１６が実行する動作のうち、この発明の特徴部分に関係する制御としては、録画予約設定やジャスト録画設定等がある。そして、ジャスト録画設定では、記録データの圧縮符号化レートの設定、光ディスク１１やハードディスクの残り記録容量の検出等を含んでいる。
また、このマイクロコンピュータブロック１６の実行結果のうち、ユーザに通知すべき内容は、表示部２３に表示されるか、または、図示しないモニタディスプレイにＯＳＤ（Ｏｎ  Ｓｃｒｅｅｎ  Ｄｉｓｐｌａｙ）表示される。
なお、マイクロコンピュータブロック１６が、ディスクドライブ１２、データプロセッサ１９、エンコーダ部１４及びデコーダ部１５等を制御するタイミングは、前記ＳＴＣ２１からの時間データに基づいて決定される。
ここで、デコーダ部１５は、ディスクドライブ１２によって光ディスク１１から読み取られ、データプロセッサ１９を介して入力されたデータから、主映像データ、副映像データ及び音声データを分離する分離部１５ａと、この分離部１５ａにおける分離処理やその他の信号処理実行時に使用されるメモリ１５ｂと、分離部１５ａで分離された主映像データをデコードするＶデコーダ，分離部１５ａで分離された副映像データをデコードするＳＰデコーダ及び分離部１５ａで分離された音声データをデコードするＡデコーダよりなるデコーダ群１５ｃと、Ｖデコーダから得られる主映像データにＳＰデコーダから得られる副映像データを適宜合成し、主映像に副映像を重ねて表示させるためのビデオプロセッサ１５ｄとを備えている。
ビデオプロセッサ１５ｄの出力は、ビデオミクサ２４に入力される。このビデオミクサ２４では、テキストデータの合成が行なわれる。また、ビデオミクサ２４には、上記Ａ／Ｖ入力部１７やＴＶチューナ１８からの信号を直接取り込むラインも接続されている。ビデオミクサ２４には、バッファとして用いるフレームメモリ２５が接続されている。
そして、ビデオミクサ２４の出力がデジタル出力の場合には、Ｉ／Ｆ（Ｉｎｔｅｒ／Ｆａｃｅ）２６を介して外部に出力され、アナログ出力の場合には、ＤＡＣ（Ｄｉｇｉｔａｌ  ｔｏ  Ａｎａｌｏｇ  Ｃｏｎｖｅｒｔｅｒ）２７を介して外部に出力される。
また、上記Ａデコーダの出力がデジタル出力の場合には、Ｉ／Ｆ２８を介して外部に出力され、アナログ出力の場合には、セレクタ２９を介してＤＡＣ３０でアナログ変換されて、外部に出力される。
このセレクタ２９は、マイクロコンピュータブロック１６からのセレクト信号により、Ａ／Ｖ入力部１７やＴＶチューナ１８からの出力信号を直接モニタするとき、ＡＤＣ１４ａからの出力を選択することが可能である。
第２図は、上記した第１の実施例における録画予約動作を説明するために示すフローチャートである。すなわち、ユーザは、録画予約を開始（ステップＳ１１）すると、まず、ステップＳ１２で、キー入力部２２を操作して録画予約パラメータを入力し、ＲＡＭに記憶させる。
この録画予約パラメータとしては、例えば、録画を行なう記録媒体が光ディスク１１かハードディスクかを示すための記録媒体の種別、録画開始／終了の日時、画質モード、入力ソースの種別等がある。
画質モードとしては、記録するデータに予め設定された標準符号化レートでの圧縮符号化を行なう標準モード（ＳＰ）、記録するデータに予め設定された長時間符号化レートでの圧縮符号化を行なう長時間モード（ＬＰ）、記録するデータに記録媒体の空き記録容量にぴったりと収容されるように、自動的に符号化レートを設定して圧縮符号化を行なうジャスト録画モード、ユーザが自分で符号化レートを設定するマニュアルモード等がある。
このように録画予約パラメータが入力設定されると、マイクロコンピュータブロック１６は、ユーザの要求に基づき、入力された録画予約パラメータに基づいて、第３図に示すような録画予約一覧画面を、例えば表示部２３に表示させることができる。
この録画予約一覧画面では、チャンネル（ＣＨ）、日付、開始時間、終了時間、記録先、画質モード、圧縮符号化レート、音質及びタイムスリップ（ＴＳ）なる各項目が、予約情報として表示されている。
この第３図に示す録画予約一覧画面において、例えば、第１番目の予約情報について言えば、予約録画する番組が衛星放送第１５チャンネル（ＢＳ１５）で放送されるものであり、日付が４月１２日であり、番組が午後７時３０分から８時００分までであることを示している。
また、この番組の記録先はＤＶＤであり、画質モードはマニュアル、圧縮符号化レートは６．０であることを示している。さらに、音質はドルビー方式（ＤＢ−Ｓ）が採用されることを示し、録画はタイムスリップモードで行なわれることを示している。
この録画予約一覧画面において、画面の左側に表示される黒塗りの三角形のカーソルＫを上下に移動させることによって、予約情報の入力位置（行）が設定される。
また、光ディスク１１に記録して予約ディスクの作成に供された予約情報には、画面の右側に白丸のラベルＬが表示される。すなわち、例えば同じ番組（連続ドラマ等のように放送日が異なりシリーズになっているような番組）を、１枚の光ディスク１１に専用に収録したいような場合、その番組の予約情報を光ディスク１１に記録することにより、当該光ディスク１１を予約ディスクとして指定することができる。
上記ステップＳ１２により録画予約パラメータの入力設定が終了すると、次に、画像記録再生装置のマイクロコンピュータブロック１６は、ステップＳ１３で、画質モードがジャスト録画モードになっているか否かを判別し、ジャスト録画モードになっていないと判断された場合（ＮＯ）、ステップＳ１４で、設定されている画質モードに応じた符号化レートを設定し、ＲＡＭに記憶させて、録画予約処理を完了（ステップＳ２１）する。
また、上記ステップＳ１３で、画質モードがジャスト録画モードになっていると判断された場合（ＹＥＳ）、マイクロコンピュータブロック１６は、ステップＳ１５で、録画する記録媒体が装置に対して着脱可能な記録媒体、つまり、光ディスク１１であるか否かを判別する。
そして、ステップＳ１５で、録画する記録媒体が光ディスク１１であると判断された場合（ＹＥＳ）、マイクロコンピュータブロック１６は、ステップＳ１６で、光ディスク１１の残り記録容量を検出し、ステップＳ１７で、残り記録容量と録画時間とから符号化レートを算出し、ＲＡＭに記憶させた後、録画予約処理を完了（ステップＳ２１）する。
一方、ステップＳ１５で、録画する記録媒体が光ディスク１１でないと判断された場合（ＮＯ）、マイクロコンピュータブロック１６は、ステップＳ１８で、ジャスト録画する記録媒体がハードディスクであると判断し、そのハードディスクの残り記録容量を検出する。
その後、マイクロコンピュータブロック１６は、ステップＳ１９で、ハードディスクの残り記録容量が、未記録の光ディスク１１の記録容量以下であるか否かを判別する。
そして、ハードディスクの残り記録容量が、未記録の光ディスク１１の記録容量を越えると判断された場合（ＮＯ）、マイクロコンピュータブロック１６は、ステップＳ２０で、ハードディスクの記録容量のうち、未記録の光ディスク１１と同じだけの記録容量を、ジャスト録画における残り記録容量に見立てる処理を行なった後、ステップＳ１７の処理に移行される。
また、ステップＳ１９で、ハードディスクの残り記録容量が、未記録の光ディスク１１の記録容量以下であると判断された場合（ＹＥＳ）、マイクロコンピュータブロック１６は、ステップＳ１７で、ハードディスクの残り記録容量と録画時間とから符号化レートを算出し、ＲＡＭに記憶させた後、録画予約処理を完了（ステップＳ２１）する。
第２図で説明した録画予約動作によれば、録画する記録媒体としてハードディスクが選定され、かつ、ジャスト録画モードが設定された場合でも、ハードディスクの残り記録容量が未記録の光ディスク１１の記録容量以下である場合には、ジャスト録画を行なわせることにより、従来のような不都合なく、ハードディスクに対するジャスト録画を可能とすることができる。
ここで、第２図に示した動作は、実際に予約録画が開始される直前（例えば数秒前）に、録画準備動作として実行されても良い。これは、ユーザが録画予約パラメータを入力設定した時点と、実際に予約録画が開始される時点との間に、長い（例えば数ヶ月程度）時間的間隔がある場合を考慮してのことである。
第４図は、この録画準備動作を説明するために示すフローチャートである。すなわち、録画準備が開始（ステップＳ２２）されると、マイクロコンピュータブロック１６は、ステップＳ２３で、ＲＡＭに記憶された録画予約パラメータを確認する。
そして、マイクロコンピュータブロック１６は、ステップＳ２４で、画質モードがジャスト録画モードになっているか否かを判別し、ジャスト録画モードになっていないと判断された場合（ＮＯ）、ステップＳ２５で、設定されている画質モードに応じた符号化レートを設定し、ＲＡＭに記憶させて、録画準備処理を完了（ステップＳ３２）する。
また、上記ステップＳ２４で、画質モードがジャスト録画モードになっていると判断された場合（ＹＥＳ）、マイクロコンピュータブロック１６は、ステップＳ２６で、録画する記録媒体が装置に対して着脱可能な記録媒体、つまり、光ディスク１１であるか否かを判別する。
そして、ステップＳ２６で、録画する記録媒体が光ディスク１１であると判断された場合（ＹＥＳ）、マイクロコンピュータブロック１６は、ステップＳ２７で、光ディスク１１の残り記録容量を検出し、ステップＳ２８で、残り記録容量と録画時間とから符号化レートを算出し、ＲＡＭに記憶させた後、録画準備処理を完了（ステップＳ３２）する。
一方、ステップＳ２６で、録画する記録媒体が光ディスク１１でないと判断された場合（ＮＯ）、マイクロコンピュータブロック１６は、ステップＳ２９で、ジャスト録画する記録媒体がハードディスクであると判断し、そのハードディスクの残り記録容量を検出する。
その後、マイクロコンピュータブロック１６は、ステップＳ３０で、ハードディスクの残り記録容量が、未記録の光ディスク１１の記録容量以下であるか否かを判別する。
そして、ハードディスクの残り記録容量が、未記録の光ディスク１１の記録容量を越えると判断された場合（ＮＯ）、マイクロコンピュータブロック１６は、ステップＳ３１で、ハードディスクの記録容量のうち、未記録の光ディスク１１と同じだけの記録容量を、ジャスト録画における残り記録容量に見立てる処理を行なった後、ステップＳ２８の処理に移行される。
また、ステップＳ３０で、ハードディスクの残り記録容量が、未記録の光ディスク１１の記録容量以下であると判断された場合（ＹＥＳ）、マイクロコンピュータブロック１６は、ステップＳ２８で、ハードディスクの残り記録容量と録画時間とから符号化レートを算出し、ＲＡＭに記憶させた後、録画準備処理を完了（ステップＳ３２）する。
このように、実際に予約録画が開始される直前（例えば数秒前）に、上記のような録画準備動作を行なうことにより、ハードディスクの空き容量を正確に検出してジャスト録画を可能とすることができる。
次に、第５図は、第１図に示した画像記録再生装置を用いて、この発明の第２の実施例における録画予約動作を説明するために示すフローチャートである。第５図において、第２図と同一ステップには同一符号を付して説明すると、前記ステップＳ１５で、録画する記録媒体が光ディスク１１でないと判断された場合（ＮＯ）、マイクロコンピュータブロック１６は、ステップＳ３３で、ジャスト録画する記録媒体がハードディスクであると判断し、表示部２３やモニタディスプレイに、ジャスト録画が行なえない旨のエラーメッセージを表示させる。
上記した第２の実施例によれば、録画する記録媒体としてハードディスクが選定され、かつ、ジャスト録画モードが設定された場合、エラーメッセージを表示させ、ハードディスクに対してジャスト録画を行なわせないようにしている。
このため、従来のように、ハードディスクの持つ膨大な空き記録容量に対応するように画像データを符号化するという、ストリームのデータサイズを無駄に大きくするだけの実用に適さない処理を行なわなくて済むようになり、ユーザにとっての使い勝手をより一層高めることができる。
次に、第６図は、第１図に示した画像記録再生装置を用いて、この発明の第３の実施例における録画予約動作を説明するために示すフローチャートである。第６図において、第２図と同一ステップには同一符号を付して説明すると、前記ステップＳ１５で、録画する記録媒体が光ディスク１１でないと判断された場合（ＮＯ）、マイクロコンピュータブロック１６は、ステップＳ３４で、ジャスト録画する記録媒体がハードディスクであると判断し、強制的に最大の符号化レートに設定し、ＲＡＭに記憶させて、録画予約処理を完了（ステップＳ２１）する。
上記した第３の実施例によれば、録画する記録媒体としてハードディスクが選定され、かつ、ジャスト録画モードが設定された場合、記録するデータを圧縮符号化するための符号化レートを強制的に最大の符号化レートに設定するようにしたので、ジャスト録画ではないが、ハードディスクに最高の画像品質での録画を行なっておくことができる。
次に、第７図は、第１図に示した画像記録再生装置を用いて、この発明の第４の実施例における録画予約動作を説明するために示すフローチャートである。第７図において、第２図と同一ステップには同一符号を付して説明すると、前記ステップＳ１５で、録画する記録媒体が光ディスク１１でないと判断された場合（ＮＯ）、マイクロコンピュータブロック１６は、ステップＳ３５で、ジャスト録画する記録媒体がハードディスクであると判断し、ハードディスクの記録容量のうち、未記録の光ディスク１１と同じだけの記録容量を、ジャスト録画における残り記録容量に見立てる処理を行なった後、ステップＳ１７の処理に移行される。
すなわち、ハードディスクの持つ記録容量のうち、未記録の光ディスク１１と同じだけの記録容量に対してジャスト録画を行なうように、記録するデータを圧縮符号化するための符号化レートが設定されることになる。
上記した第４の実施例によれば、録画する記録媒体としてハードディスクが選定され、かつ、ジャスト録画モードが設定された場合、ハードディスクの中の未記録の光ディスク１１と同じ記録容量に対してジャスト録画を行なうようにしたので、ハードディスクに記録したデータを後で光ディスク１１に転送するのに都合が良いという利点がある。
次に、第８図は、第１図に示した画像記録再生装置を用いて、この発明の第５の実施例における録画予約動作を説明するために示すフローチャートである。第８図において、第２図と同一ステップには同一符号を付して説明すると、前記ステップＳ１９で、ハードディスクの残り記録容量が、未記録の光ディスク１１の記録容量を越えると判断された場合（ＮＯ）、マイクロコンピュータブロック１６は、ステップＳ３６で、表示部２３やモニタディスプレイに、ジャスト録画が行なえない旨のエラーメッセージを表示させる。
上記した第５の実施例によれば、録画する記録媒体としてハードディスクが選定され、かつ、ジャスト録画モードが設定された場合でも、ハードディスクの残り記録容量が未記録の光ディスク１１の記録容量以下である場合には、ジャスト録画を行なわせることにより、従来のような不都合なくハードディスクへのジャスト録画を可能とすることができる。
次に、第９図は、第１図に示した画像記録再生装置を用いて、この発明の第６の実施例における録画予約動作を説明するために示すフローチャートである。第９図において、第２図と同一ステップには同一符号を付して説明すると、前記ステップＳ１９で、ハードディスクの残り記録容量が、未記録の光ディスク１１の記録容量を越えると判断された場合（ＮＯ）、マイクロコンピュータブロック１６は、ステップＳ３７で、強制的に最大の符号化レートに設定し、ＲＡＭに記憶させて、録画予約処理を完了（ステップＳ２１）する。
上記した第６の実施例によれば、録画する記録媒体としてハードディスクが選定され、かつ、ジャスト録画モードが設定された場合でも、ハードディスクの残り記録容量が未記録の光ディスク１１の記録容量以下である場合には、ジャスト録画を行なわせることにより、従来のような不都合なくハードディスクへのジャスト録画を可能とすることができる。
ここで、上記した各実施例では、ハードディスク全体の記録容量を対象とし、その中で残り記録容量を検出するものとして説明したが、これに限らず、例えば、ハードディスクの全記録容量を複数の領域に分割し、その中の１つの記録領域のみを対象として、残り記録領域の検出を行なうようにしても良いものである。産業上の利用可能性
以上詳述したようにこの発明によれば、装置に対して着脱自在な記録媒体と、装置に内蔵された大容量記録媒体とを同時に取り扱うことを可能とする画像記録再生装置において、ジャスト録画機能が採用された場合の大容量記録媒体に対する不都合を解消し、ユーザにとっての使い勝手をより一層高めることができる。このため、例えば、書き替え可能な光ディスクとハードディスクとを同時に取り扱うことが可能な画像記録再生装置に利用して効果的となる。
【図面の簡単な説明】
第１図は、この発明に係る画像記録再生装置の第１の実施例を説明するために示すブロック構成図、第２図は、同第１の実施例における録画予約動作を説明するために示すフローチャート、第３図は、同第１の実施例における録画予約一覧画面の表示例を説明するために示す図、第４図は、同第１の実施例における録画準備動作を説明するために示すフローチャート、第５図は、この発明の第２の実施例における録画予約動作を説明するために示すフローチャート、第６図は、この発明の第３の実施例における録画予約動作を説明するために示すフローチャート、第７図は、この発明の第４の実施例における録画予約説明するために示すフローチャート、第８図は、この発明の第５の実施例における録画予約動作を説明するために示すフローチャート、第９図は、この発明の第６の実施例における録画予約動作を説明するために示すフローチャートである。
【図１】
0004495906.tif 000002
【図２】
0004495906.tif 000003
【図３】
0004495906.tif 000004
【図４】
0004495906.tif 000005
【図５】
0004495906.tif 000006
【図６】
0004495906.tif 000007
【図７】
0004495906.tif 000008
【図８】
0004495906.tif 000009
【図９】
0004495906.tif 000010